(57)【要約】  本発明の方法では、識別メディアから独立した仮想の参照ファイルシステムＲＦＳが定義される。全アクセスキーＲＫｉはファイルシステムキーＦＳＫにより置換され、サブセクションＢｉの全アクセス権ＡＣｉは一時停止され、参照ファイルシステム対応のファイルシステムＦＳが識別メディアへ初期化又は書き込まれる(ＦＳ(ＩＭ−Ｘ)、ＦＳ(ＩＭ−Ｙ))。その際ファイルシステム開始点(ＦＳ−Ｓ(ＩＭ−Ｘ)、ＦＳ−Ｓ(ＩＭ−Ｙ))が識別メディア(ＩＭ(ＦＳ)及び割り当てられた読出し／書込みステーションＷＲ(ＲＦＳ)で定義されて仮想参照ファイルシステムに対応のアプリケーション(Ａｐｐ(ＲＦＳ)を識別メディアへ書き込み実行できる。本方法は、アプリケーション(Ａｐｐ(ＲＦＳ)を適合化することなく、様々な初期化識別メディア(ＩＭ−Ｘ(ＦＳ)、ＩＭ−Ｙ(ＦＳ))へ書き込み又は実行できる。【選択図】図１
2007531926.tif 000002
【特許請求の範囲】
【請求項１】
アプリケーションＡｐｐから自由にアクセスできるアプリケーション領域Ａｐｐ−Ａｒを含み、該アプリケーション領域Ａｐｐ−Ａｒの部分領域Ｂｉのために幾つかのアクセスキーＲＫｉ及びアクセス権ＡＣｉを有する異なったタイプの識別メディア（ＩＭ−Ｘ、ＩＭ−Ｙ）へ、割り当てられた書き込み／読み出しステーションＷＲを介してデータを書き込む方法において、
識別メディアから独立した定義済み仮想参照ファイルシステムＲＦＳに対応するファイルシステムＦＳが書き込まれ、又は初期化され（１）、
全てのアクセスキーＲＫｉがファイルシステムキーＦＳＫによって置換され（２）、
部分領域Ｂｉの全てのアクセス権ＡＣｉが不能にされ（３）、
続いて、ファイルシステムＦＳが、識別メディアに従って、これらに書き込まれ（ＦＳ（ＩＭ−Ｘ）、ＦＳ（ＩＭ−Ｙ））（４）、
それによって、ファイルシステム開始点（ＦＳ−Ｓ（ＩＭ−Ｘ）、ＦＳ−Ｓ（ＩＭ−Ｙ））が識別メディアＩＭ（ＦＳ）の中で定義され（５）、
前記開始点が、同様に、参照ファイルシステムＲＦＳに対応する割り当て済み書き込み／読み出しステーションＷＲ（ＲＦＳ）の中で定義され（６）、
仮想参照ファイルシステムＲＦＳに従って定義されたアプリケーションＡｐｐ（ＲＦＳ）が、割り当て済み書き込み／読み出しステーションＷＲ（ＲＦＳ）を介して識別メディア（ＩＭ−Ｘ（ＦＳ）、ＩＭ−Ｙ（ＦＳ））へ書き込まれ（７）、そして実行される（８）ことを特徴とする方法。
【請求項２】
参照ファイルシステムＲＦＳが規則ｒｕ（ＲＦＳ）を含むことを特徴とする、請求項１に記載の方法。
【請求項３】
参照ファイルシステムの規則ｒｕ（ＲＦＳ）が階層許可システムＡに対応するｒｕ（ＲＦＳ，Ａ）ことを特徴とする、請求項２に記載の方法。
【請求項４】
独立ユーザ（ＳＳＣ１、ＳＳＣ２）が、自律的及び相互から独立的に、相互に影響を及ぼさない独立アプリケーション（Ａｐｐ１、Ａｐｐ２）を書き込んで実行することを、参照ファイルシステムＲＦＳの規則ｒｕ（ＲＦＳ）が保証することを特徴とする、請求項２に記載の方法。
【請求項５】
対応するファイルシステムキー（ＦＳＫ１、ＦＳＫ２）及びファイルシステム開始点（ＦＳ−Ｓ１、ＦＳ−Ｓ２）を有する複数の参照ファイルシステム（ＲＦＳ１、ＲＦＳ２）（又は、幾つかのバージョンＲＦＳｖ）が適用又は書き込まれることを特徴とする、請求項１に記載の方法。
【請求項６】
識別メディアＩＭが、ファイルシステム領域ＦＳ−Ａｒ、及び部分領域ＢｉのためにアクセスキーＲＫｉ及びアクセス権ＡＣｉを有する標準領域Ｓｔｄ−Ａｒを含むことを特徴とする、請求項１に記載の方法。
【請求項７】
ファイルシステムＦＳへのアクセスがファイルシステム開始点ＦＳ−Ｓを介して達成されることを特徴とする、請求項１に記載の方法。
【請求項８】
ファイルシステムＦＳがファイルシステムヘッダＦＳ−Ｈ及びファイルシステムアプリケーション領域ＦＳ−Ａｐｐ−Ａｒへ分割され、及び／又はファイルシステム開始点ＦＳ−ＳがファイルシステムヘッダＦＳ−Ｈの中に存在することを特徴とする、請求項１に記載の方法。
【請求項９】
ファイルシステムキーＦＳＫを使用して、ファイルシステム開始点ＦＳ−Ｓ又はファイルシステムヘッダＦＳ−Ｈのみをアクセスすることを特徴とする、請求項８に記載の方法。
【請求項１０】
少なくとも１つのアプリケーション開始点Ａｐｐ−Ｓが識別メディアＩＭ（ＦＳ）の中で定義されることを特徴とする、請求項１に記載の方法。
【請求項１１】
第１のアプリケーション開始点Ａｐｐ−Ｓが、ファイルシステム開始点ＦＳ−Ｓの定義と一緒に又はファイルシステムヘッダＦＳ−Ｈの書き込みと一緒に定義されることを特徴とする、請求項１０に記載の方法。
【請求項１２】
バックグラウンドシステム／ホストＨ又は書き込み／読み出しステーションＷＲ（ＲＦＳ）が、参照ファイルシステムの指定に従って定義されたアプリケーションＡｐｐ（ＲＦＳ）を、識別メディアへの適合化なしにファイルシステムＦＳを有する識別メディアＩＭ（ＦＳ）の上で実行することを特徴とする、請求項１に記載の方法。
【請求項１３】
書き込み／読み出しステーションＷＲ（ＲＦＳ）のファイルシステム開始点（ＦＳ−Ｓ（ＩＭ−Ｘ）、ＦＳ−Ｓ（ＩＭ−Ｙ））が、識別メディア（ＩＭ−Ｘ、ＩＭ−Ｙ）のタイプ（Ｘ、Ｙ）の認識によって決定され、したがって定義されることを特徴とする、請求項１に記載の方法。
【請求項１４】
ファイルシステムＦＳの書き込みの後、フラグｆｌが識別メディアＩＭ（ＦＳ）の中に設定され、又は制御条件ｆｌｃ又は初期化情報ｆｌｉが書き込まれることを特徴とする、請求項１に記載の方法。
【請求項１５】
自由にアクセス可能（利用可能）なアプリケーション領域ＦＳ−Ａｐｐ−Ａｒのサイズが、制御条件ｆｌｃ又は初期化情報ｆｌｉによって決定されることを特徴とする、請求項１４に記載の方法。
【請求項１６】
物理アドレスｐＡｄ（ＩＭ）が、識別メディアＩＭ（ＦＳ）の中で、
ファイルシステムＦＳ（ＩＭ）への参照を有する識別メディアの中の仮想アドレスｖＡｄ（ＦＳ（ＩＭ））から、及び
識別メディアの中の参照アドレスとしての開始点ｐＡｄ（ＦＳ−Ｓ（ＩＭ））の物理アドレスから
決定されることを特徴とする、請求項１に記載の方法。
【請求項１７】
識別メディアＩＭが、ファイルシステムＦＳの初期化によって或るタイプ（ＩＭ−Ｘ−Ｔ（ＦＳ））へ制限されることを特徴とする、請求項１に記載の方法。
【請求項１８】
或るタイプＴへの識別メディアＩＭの制限が、フラグｆｌ、制御条件ｆｌｃ、及び／又は初期化情報ｆｌｉによって達成される（Ｔ（ｆｌ、ｆｌｃ、ｆｌｉ）こと、又は識別メディアＩＭが、或るユーザのタイプ（Ｔ−ＳＳＣ１、Ｔ−ＳＳＣ２）として、又は機能タイプ、例えばアクセス回数又は操作持続時間又は満了日付を規定するナンバリングカードとして初期化されることを特徴とする、請求項１７に記載の方法。
【請求項１９】
参照ファイルシステムＲＦＳに従って定義された探索及び読み出し機能である自動読み出しＡＲが、
書き込み／読み出しステーションＷＲ（ＲＦＳ）を介して、探索規準Ｑに従って識別メディア（ＩＭ−Ｘ（ＦＳ）、ＩＭ−Ｙ（ＦＳ））から或る探索されるデータを読み出す探索コマンドＡＲ（Ｑ）が作り出され、この探索されるデータＡＲ（ＩＭ（ＦＳ）（データ））が識別メディアから応答として読み出され、書き込み／読み出しステーションの中でデータフォーマットジェネレータＤＦＧによってデータセットＡＲ（ＲＦＳ）（データ）として処理され、該データセットが探索コマンドＡＲ（Ｑ）に対応する
ように定義されることを特徴とする、請求項１に記載の方法。
【請求項２０】
識別メディアから探索されたデータＡＲ（ＩＭ（ＦＳ）（データ））が、更に、製造業者の領域Ｍａｎからのデータを含むこと、及び応答データセットＡＲ（ＲＦＳ）（データ）が、更に、書き込み／読み出しステーションのデータＷＲ（データ）を含むことを特徴とする、請求項１９に記載の方法。
【請求項２１】
探索されたデータＩＭ（ＦＳ）（データ）が幾つかのアプリケーション（Ａｐｐ１（ＦＳ）、Ａｐｐ２（ＦＳ））を包含することを特徴とする、請求項１９に記載の方法。
【請求項２２】
割り当てられた書き込み／読み出しステーションＷＲのために、アプリケーションＡｐｐから自由にアクセスできるアプリケーション領域Ａｐｐ−Ａｒ、及び該アプリケーション領域Ａｐｐ−Ａｒの部分領域Ｂｉのために幾つかのアクセスキーＲＫｉ及びアクセス権ＡＣｉを有する識別メディアであって、識別メディアから独立した定義済み仮想参照ファイルシステムＲＦＳに対応するファイルシステムＦＳを含み、
全てのアクセスキーＲＫｉがファイルシステムキーＦＳＫによって置換され、
部分領域Ｂｉの全てのアクセス権ＡＣｉが不能にされ、
ファイルシステムＦＳが、識別メディアに従って、この中へ書き込まれ（ＦＳ（ＩＭ−Ｘ）、ＦＳ（ＩＭ−Ｙ））、
それによって、ファイルシステム開始点（ＦＳ−Ｓ（ＩＭ−Ｘ）、ＦＳ−Ｓ（ＩＭ−Ｙ）が識別メディアの中で定義され、
前記開始点が、同様に、参照ファイルシステムＲＦＳに対応する割り当て済み書き込み／読み出しステーションＷＲ（ＲＦＳ）の中で定義され、
仮想参照ファイルシステムＲＦＳに従って定義されたアプリケーションＡｐｐ（ＲＦＳ）が、割り当て済み書き込み／読み出しステーションＷＲ（ＲＦＳ）を介して識別メディア（ＩＭ−Ｘ（ＦＳ）、ＩＭ−Ｙ（ＦＳ））へ書き込まれて実行される
ことを特徴とする識別メディア。
【請求項２３】
識別メディアから独立した定義済み仮想参照ファイルシステムＲＦＳ、請求項２２に記載の識別メディアＩＭ（ＦＳ）、割り当て済み書き込み／読み出しステーションＷＲ（ＲＦＳ）、及び参照ファイルシステムＲＦＳに対応するアプリケーションＡｐｐ（ＲＦＳ）を有する通信システム。
【発明の詳細な説明】
【技術分野】
【０００１】
本発明は、請求項１のプリアンブルに従って、データ編成、又はデータ編成へ対応して割り当てられるデータを識別メディアへ書き込む方法、及び請求項２２のプリアンブルに従ったデータ編成付き識別メディアに関する。
【背景技術】
【０００２】
異なったタイプの標準識別メディア、例えば、非接触型識別メディア、チップカード、又はバリューカード（ｖａｌｕｅ  ｃａｒｄ）などは、様々な製造業者から提供され、多くのアプリケーション、アクセス制御アプリケーション、及びセキュリティアプリケーション、例えばサービス及び商品へのアクセス、保護区域及びビルへのアクセス、データ処理設備へのアクセス、時間管理などで応用される。そのような識別メディアは、様々な企業標準に対応し、様々なメモリ編成を有する。標準の識別メディアは、例えば国際公開公報第０１／０１２５８号から公知である。この文献は、識別メディアのメモリへアクセスする方法を指定し、少なくとも１つのアクセスキー及び１つのアクセス権が各々のアプリケーションについて定義されなければならない。これらのデータメモリは異なったメモリサイズ、キー領域の中の幾つかのアクセスキー、及び部分領域のためのアクセス権を有する。アプリケーションは、このメモリ構造に従って書かれなければならない。
【０００３】
他方、特殊プロプラエタリ接触自由型識別メディアをもつシステムは、国際公開公報第９７／３４２６５号から公知である。その構造は階層許可システムに対応し、異なったユーザからの幾つかのアプリケーションがデータメモリに書き込まれ、独立アプリケーションが独立ユーザによって自律的に定義及び実行されるように階層許可システムが保証し、異なった独立アプリケーションは相互に影響を与えない。
【発明の開示】
【発明が解決しようとする課題】
【０００４】
これらの公知のシステムでは、識別メディア（及び、そのデータ編成又はファイルシステム）は、アプリケーション又は許可システムの特別のデータ編成に対応していなければならない。しかし、このためには、特別のプロプラエタリ識別メディアが必要である。この識別メディアは、多くの場合、標準識別メディアと比較して著しく高価である。
【０００５】
本発明の目的は、従来の制限及び欠点を克服し、異なったタイプの（標準）識別メディアのメモリへ統一的なやり方でアクセスできるようにし、したがってアプリケーションの定義及び実行が単純化されてアプリケーションの可能性が拡張されるようにすることである。
【課題を解決するための手段】
【０００６】
本発明によれば、この目的は請求項１に従った方法、及び請求項２２に従った識別メディアによって達成される。従属した特許請求項は、本発明の更なる発展に関連し、異なったユーザのためにアプリケーションの設計及び実行の可能性が拡張される。
【０００７】
以下、本発明を図面及び実施形態に基づいて詳細に説明する。
【発明を実施するための最良の形態】
【０００８】
図１（図３ａ及び図３ｂと共に）は、割り当て済み書き込み／読み出しステーションＷＲによって、様々なタイプの識別メディアＩＭ−Ｘ及びＩＭ−Ｙへデータを書き込む本発明の方法、又はデータ書き込み方法を示す。識別メディアはアプリケーションＡｐｐから自由にアクセスできるアプリケーション領域Ａｐｐ−Ａｒを含み、各々の場合、アプリケーション領域Ａｐｐ−Ａｒの部分領域Ｂｉについて、各々の場合に、様々なアクセスキーＲＫｉ及びアクセス権ＡＣｉを有する。それ自身は識別手段から独立した定義済みの仮想参照ファイルシステムＲＦＳに対応するファイルシステムＦＳが書き込まれるか初期化される（方法のステップ１）。全てのアクセスキーＲＫｉはファイルシステムキーＦＳＫによって置換され（方法のステップ２）、部分領域Ｂｉの全てのアクセス権ＡＣｉは一時停止され（３）、続いて識別メディアに適合化されたファイルシステムＦＳがこれらのＦＳ（ＩＭ−Ｘ）及びＦＳ（ＩＭ−Ｙ）へ書き込まれ（４）、それによって各々の場合に、ファイルシステム開始点ＦＳ−Ｓ（ＩＭ−Ｘ）及びＦＳ−Ｓ（ＩＭ−Ｙ）が識別メディアＩＭ（ＦＳ）の中で定義される（５）。前記開始点は、同様に参照ファイルシステムＲＦＳに適合化された割り当て済み書き込み／読み出しステーションＷＲ（ＲＦＳ）の中で定義され（６）、したがって仮想参照ファイルシステムＲＦＳに従って定義されたアプリケーションＡｐｐ（ＲＦＳ）が、割り当て済み書き込み／読み出しステーションＷＲ（ＲＦＳ）を介して識別メディアＩＭ−Ｘ（ＦＳ）及びＩＭ−Ｙ（ＦＳ）の中へ書き込まれ（７）、そして実行される（８）。
【０００９】
好ましくは、規則ｒｕ（ＲＦＳ）が参照ファイルシステムＲＦＳへ割り当てられる。前記規則は参照ファイルシステムの異なったデータの間の関係を規定する。
【００１０】
この新しい方法の本質的要素は、識別メディアから独立した一般的な仮想参照ファイルシステムＲＦＳ、及び識別メディアに従属したファイルシステムＦＳである。該ＦＳは、一般的な仮想参照ファイルシステムＲＦＳに従って識別メディアＩＭ（標準識別メディア）の実のデータメモリへ書き込まれる。
【００１１】
簡単に言えば、本発明に従った方法では、最初に標準識別メディアのデータメモリが空にされ、次にファイルシステムＦＳが適合化された仕方で書き込まれ、ＲＦＳアプリケーションＡｐｐ−ＲＦＳが、変わらない仕方で書き込まれて実行される。
【００１２】
ファイルシステムＦＳとは、或るデータメモリでデータを構成、編成、及び管理するシステムを意味する。
【００１３】
参照ファイルシステムＲＦＳとは、データ記憶媒体上のデータを編成するファイルシステム（実のデータメモリから独立した）の仮想抽象モデルを意味する。前記データは、通信システムのフレームワークの中で、ユーザがアプリケーションを定義及び実行するために利用可能となる。
【００１４】
本発明の方法に従ったデータの書き込みとは、一回又は複数回データを書いてもよい物理メモリアドレスｐＡｄの上に書くこと、及び一回又は複数回データを書いてもよい、まだ書かれていない物理メモリアドレスｐＡｄへデータを書き込むことを意味する。
【００１５】
図１は、異なったデータ編成を有する２つの異なったタイプＸ及びＹの標準識別メディアＩＭ−Ｘ及びＩＭ−Ｙを示す。各々の場合は、アクセスキーはＲＫｉ又はＲＫｊ、部分領域はＢｉ又はＢｊ、及びアクセス権はＡＣｉ又はＡＣｊを有する（更に図３ａで表される）。このため、好ましくは、規則ｒｕ（ＲＦＳ）を有する仮想参照ファイルシステムＲＦＳが、定義済みファイルシステム開始点ＦＳ−Ｓ（ＩＭ−Ｘ）及びＦＳ−Ｓ（ＩＭ−Ｙ）、及び割り当て済みファイルシステムキーＦＳＫを有するように定義される。割り当て済み書き込み／読み出しステーションＷＲ（ＲＦＳ）を介して、標準識別メディアＩＭ−Ｘ及びＩＭ−Ｙは、方法のステップ１〜５によって識別メディアＩＭ−Ｘ（ＦＳ）及びＩＭ−Ｙ（ＦＳ）の中へファイルシステムＦＳを初期化される。それによって、ファイルシステムキーＦＳＫ、ファイルシステム開始点ＦＳ−Ｓ（ＩＭ−Ｘ）及びＦＳ−Ｓ（ＩＭ−Ｙ）、及びファイルシステム（ＦＳ（ＩＭ−Ｘ）及びＦＳ（ＩＭ−Ｙ）が識別メディアのタイプＸ及びＹに従って書き込まれ、アクセスキーＲＫｉ及びＲＫｊが不能にされるか削除され、したがって完全なファイルシステム領域ＦＳへのアクセスが、キーＦＳＫで可能になる。
【００１６】
続いて、参照ファイルシステムＲＳＦに対応するアプリケーションＡｐｐ（ＲＳＦ）が、例えばホストＨから書き込み／読み出しステーションＷＲ（ＲＦＳ）を介して、方法のステップ６、７、８で、Ａｐｐ（ＲＳＦ）−ＦＳ（ＩＭ−Ｘ）及びＡｐｐ（ＲＦＳ−ＦＳ（ＩＭ−Ｙ）として識別メディアの中へ書き込まれ、そして実行されてもよい。図１は、更に、ファイルシステムＦＳが識別メディアのタイプＸ及びＹに従って異なる仕方で実現されてもよいこと、即ち、識別メディアのタイプ及びメモリ構造へ最適に適合化されてもよいことを示す。したがって、アプリケーションへのアクセスは、ファイルシステムキーＦＳＫ（方法のステップ２０）、及びファイルシステム開始点ＦＳ−Ｓ（方法のステップ２１）を介するアプリケーションへのアクセス（方法のステップ２２）を介して達成される。
【００１７】
図１を補足する図２ａ〜図２ｃは、本発明の方法を使用して、割り当て済み書き込み／読み出しステーションの３つの異なった機能、即ちファイルシステムＦＳの初期化、アプリケーションの書き込み、及びアプリケーションの実行をどのようにして区別するかを示す。
ａ）割り当て済み書き込み／読み出しステーションＷＲ（ＲＦＳ）による識別メディアＩＭの初期化は、方法のステップ１〜５に対応する（図１）。この前提条件は、この機能「初期化」Ｉｎｉを有する書き込み／読み出しステーションＷＲ（ＲＦＳ）−Ｉｎｉである。該ステーションは、識別メディアＩＭ−Ｘ及びＩＭ−Ｙのタイプ及びそれらのアクセスキーＲＫｉの知識を有し、また参照ファイルシステムＲＦＳ及びファイルシステムキーＦＳＫを含む。ファイルシステム開始点ＦＳ−Ｓ（ＩＭ−Ｘ）及びＦＳ−Ｓ（ＩＭ−Ｙ）を有する初期化済み識別メディアＩＭ−Ｘ（ＦＳ）及びＩＭ−Ｙ（ＦＳ）は、これから生じる。
ｂ）後続するアプリケーションＡｐｐ（ＲＦＳ）の書き込みは、方法のステップ７に対応して、機能「書き込み」ＷＡｐｐを有する書き込み／読み出しステーションＷＲ（ＲＦＳ）−ＷＡｐｐを必要とする。この前提条件は、再びＦＳＫ及びＦＳ−Ｓ（方法のステップ６に従って）及びアプリケーションＡｐｐ（ＲＦＳ）の知識である。アプリケーションＡｐｐ（ＲＦＳ）を有する識別メディアＩＭ（ＦＳ）は、これから生じる。
ｃ）アプリケーションＡｐｐ（ＲＦＳ）の実行は、方法のステップ８に対応して、機能「実行」Ｒａｐｐを有するＷＲ（ＲＦＳ）−ＲＡｐｐを必要とする。
【００１８】
こうして、割り当て済み書き込み／読み出しステーションＷＲ（ＲＦＳ）は、意図されたタスクに従って、必要な機能である初期化（Ｉｎｉ）、書き込み（ＷＡｐｐ）、及び／又は実行（ＲＡｐｐ）を提供される。
【００１９】
システムオーナーのシステム全体の全ての識別メディアの初期化は、原則として、１つだけの初期化書き込み／読み出しステーションＷＲ（ＲＦＳ）−Ｉｎｉへ限定されてもよい。この機能Ｉｎｉは、最上位の階層レベルに対応する。
【００２０】
アプリケーションの機能「書き込み」ＷＡｐｐは、例えば、各々の場合に、独立アプリケーションＡｐｐのために独立ユーザＳＳＣによって、この下にある階層レベルで、対応する書き込み／読み出しステーションＷＲ（ＲＦＳ）−ＷＡｐｐの中へ導入又は初期化されてもよい。
【００２１】
アプリケーションの機能「実行」ＲＡｐｐは、より低い階層レベルで導入されてもよい。
【００２２】
実際には、書き込みの機能を有する書き込み／読み出しステーションＷＲは、一般にはアプリケーションの対応する実行の機能も含んでいる。
【００２３】
これらの機能Ｉｎｉ、ＷＡｐｐ、及びＲＡｐｐを書き込み／読み出しステーションＷＲ（ＲＦＳ）の中へ初期化及び導入又はリリースすることは、適切な許可手段ＡＭ又は許可メディアＡＩＭによって、即ち、適切なハードウェア又はソフトウェア（コード）によって実現及び変更されてもよい。
【００２４】
ファイルシステムＦＳへのアクセスは、好ましくは、ファイルシステム開始点ＦＳ−Ｓを介して達成される。
【００２５】
ファイルシステム開始点ＦＳ−Ｓ（ＩＭ−Ｘ）及びＦＳ−Ｓ（ＩＭ−Ｙ）は、識別メディアのタイプ（Ｘ、Ｙ）の認識によって、例えば、通信のフレームワークの中で一意の識別番号ＵＩＤの評価（解析）によって、割り当て済み書き込み／読み出しステーションＷＲ（ＲＦＳ）から決定されてもよく、それがまだ知られていない場合、アプリケーションの実行のために定義されてもよい（方法のステップ６）。
【００２６】
本発明に従った方法の大きな利点は、参照ファイルシステムＲＦＳの指定に従って定義されたアプリケーションＡｐｐ（ＲＦＳ）が、適合化なしに、ファイルシステムＦＳを含む初期化済み標準識別メディアＩＭ（ＦＳ）へ書き込まれてもよい事実にある。
【００２７】
こうして、バックグラウンドシステム／ホスト又は書き込み／読み出しステーションＷＲ（ＲＦＳ）も、識別メディアへの適合化なしに、初期化済み識別メディアＩＭ（ＦＳ）でそのように定義されたアプリケーションＡｐｐ（ＲＦＳ）を実行してもよい。
【００２８】
図３ａは、標準識別メディアＩＭを示す。このＩＭは、図３ｂのように本発明に従って初期化された識別メディアＩＭ（ＦＳ）へ変換される。図３ａに従った標準識別メディアＩＭは、一意の識別番号ＵＩＤを有する固定された所与の製造業者の領域Ｍａｎ、及び場合によっては、更に製造業者のデータ、例えばメモリサイズ及び更なる詳細、及び標準領域Ｓｔｄ−Ａｒを含む。
【００２９】
標準領域は、アクセスキーＲＫｉを有するアクセスキー領域ＲＫ−Ａｒ及び部分領域Ｂｉ及びアプリケーションＡｐｐｉを有する標準アプリケーション領域Ｓｔｄ−Ａｐｐ−Ａｒから構成される。これらは、各々の場合にアクセス権ＡＣｉを含む。
【００３０】
図３ｂに従った初期化済み識別メディアＩＭ（ＦＳ）は、対照的に、ファイルシステムキーＦＳＫ及びファイルシステム領域ＦＳを有するファイルシステム領域ＦＳ−Ａｒを含む。ファイルシステム領域ＦＳは、標準アプリケーション領域Ｓｔｄ−Ａｐｐ−Ａｒと比較して大きく、ファイルシステム開始点ＦＳ−Ｓ、ここではファイルシステムヘッダＦＳ−Ｈ、及び独立ユーザＳＳＣ１〜ＳＳＣ３のアプリケーションＡｐｐ１〜Ａｐｐ３を有するファイルシステムアプリケーション領域ＦＳ−Ａｐｐ−Ａｒを有する。標準識別メディアＩＭの全てのアクセス権ＡＣｉは不能にされるか削除され、ファイルシステム領域ＦＳの全体及び全てのアプリケーションへのアクセスは、ファイルシステムキーＦＳＫを介して直接達成されてもよい。従来のアクセスキー領域ＲＫ−Ａｒは、こうしてアプリケーションに対して利用可能である。
【００３１】
この例において、ファイルシステム又はファイルシステム領域ＦＳは、ファイルシステム領域の編成を規定するファイルシステムヘッダＦＳ−Ｈ及びファイルシステムアプリケーション領域ＦＳ−Ａｐｐ−Ａｒへ分割される。アプリケーションＡｐｐ（ＲＦＳ）へのアクセスは、ファイルシステム開始点ＦＳ−Ｓ又はファイルシステムヘッダＦＳ−Ｈ及びアプリケーションＡｐｐへのファイルシステムキーＦＳＫを介して、方法のステップ２０〜２２によって達成される。ファイルシステムヘッダＦＳ−Ｈは、識別メディアに関する情報ＩＭＩ、例えば、製造業者の領域Ｍａｎの中に存在しない製造業者及びメモリサイズを含み、またファイルシステムＦＳに関する情報、例えばファイルシステムのバージョンＦＳｖ、データ編成、アクセス権ａｃｉ、及び（セキュリティ要件に従って）暗号機能ｃｒｙｐを含む。
【００３２】
ここで、ファイルシステム開始点ＦＳ−Ｓは、好ましくは、ファイルシステムヘッダＦＳ−Ｈの中に存在する。
【００３３】
アプリケーションの所望の編成及びアプリケーションの許可に依存して、ファイルシステムキーＦＳＫでファイルシステム開始点ＦＳ−Ｓ又はファイルシステムヘッダＦＳ−Ｈのみをアクセスし、アプリケーション領域ＦＳ−Ａｐｐ−Ａｒをアクセスしないことを規定してもよい。したがって、例えば割り当て済みキーＦＳＫ−Ａｐｐがアプリケーション及び／又は独立ユーザＳＳＣのために導入され、このキーが、対応するアプリケーション、図３ｂの例では、例えばアプリケーションＡｐｐ１へのアクセスを制御する（ＦＳ−ＨからＦＳＫ−Ａｐｐへの方法のステップ２２ａ、及びＦＳＫ−ＡｐｐからＡｐｐ１への２２ｂを使用して）。
【００３４】
ファイルシステムＦＳを書いた後、初期化を示す制御インディケータ（フラグ）ｆｌが、更なる情報として識別メディアＩＭ（ＦＳ）の中に設定されてもよい。更に、制御条件ｆｌｃ又は初期化情報ｆｌｉを書き込んでもよい。
【００３５】
制御条件ｆｌｃは、例えばファイルシステムへのアクセスの回数又は満了日付を定義し、初期化情報ｆｌｉは、ＦＳの初期化が、どのような条件で、いつ、どのようにして、どの書き込み／読み出しステーションＷＲ（ＲＦＳ）−Ｉｎｉを使用して、及び誰によって実現されたかを指定する。
【００３６】
制御条件ｆｌｃ又は初期化情報ｆｌｉは、例えば、更に、アプリケーション領域ＦＳ−Ａｐｐ−Ａｒの柔軟な使用を可能にする。ファイルシステムＦＳを書き込むとき（初期化）、アプリケーション領域ＦＳ−Ａｐｐ−Ａｒの全体が［データ］を書かれていても、最初のユーザＳＳＣ１が必要として支払いの対象となる領域の一部分のみが、そのユーザによる（書き込み）使用のためにリリースされてもよい。次に、この第１のユーザ又は第２の独立ユーザＳＳＣ２が、事後書き込み（事後初期化）によって、既存のアプリケーションの拡張又は新しいアプリケーションのために領域の第２の部分のリリースを取得してもよい。したがって、例えば、異なるように大きなメモリ領域（したがって異なるように大きなファイルシステム領域ＦＳ−Ａｒ）を有する識別メディアを使用する必要はない。したがって、大きなメモリ領域を有する識別メディアＩＭは、ユーザＳＳＣに関しては、小さなメモリ領域を有する識別メディアとして販売されてもよい。識別メディアＩＭの製造業者又は販売者は、大きなメモリ領域を有する識別メディアＩＭの規模の経済性から利益を得ることができ、ユーザＳＳＣは、小さなメモリ領域を有する識別メディアと比較して、大きなメモリ領域を有する識別メディアについて大きな価格を支払う必要はなく、部分的にリリースされたアプリケーション領域ＦＳ−Ａｐｐ−Ａｒについてのみ支払えばよい。リリースされたアプリケーション領域ＦＳ−Ａｐｐ−Ａｒのサイズは、情報ＩＭＩの一部分であり得る。制御条件ｆｌｃ又は初期化情報ｆｌｉを使用して、更に、事後書き込みが可能であるかどうか、又はどのような期間及びどのような条件のもとでそれが可能であるかを定義することができる。
【００３７】
アプリケーションＡｐｐｉを書き込んで実行するユーザＳＳＣｉは、読み出すだけのやり方で、又は部分的に書き込むだけのやり方で、例えばアプリケーション特定及びユーザ特定アクセス権ａｃｉを一時的に書き込んでファイルシステムヘッダＦＳ−Ｈにアクセスしてもよい事実によって、更なるセキュリティ条件が導入されてもよい。ユーザはファイルシステムＦＳの編成を変更するか、それに影響を及ぼすことはない。このようなことは、システムオーナー（最上位の階層レベル）によって規定される。標準識別メディアＩＭのアクセス権ＡＣｉと比較して、ファイルシステムアクセス権ａｃｉは同じ機能を有するが、有利には、それらは柔軟な仕方で編成される。これによって、例えば、アプリケーションＡｐｐｉへアクセスするため「スタンプ」の形式で柔軟性キー又はアクセス権又は完全な権利マネジメント（固定されたキーＦＳＫ−Ａｐｐと比較して）を定義することができる。スタンプは次の部分から構成されてもよい。
−  ファイルシステムヘッダＦＳ−Ｈのアプリケーション独立部分、即ち、参照ファイルシステムＲＦＳ又は規則ｒｕ（ＲＦＳ）及び／又は許可システムＡによって与えられて変更されない部分。
−  ファイルシステムヘッダＦＳ−Ｈのアプリケーション特定部分、例えば、一回又は複数回書き込まれてもよいアクセス権ａｃｉ。
−  アプリケーション領域ＦＳ−Ａｐｐ−Ａｒの中のアプリケーションＡｐｐの（一回又は複数回書き込まれることができる）アプリケーション特定部分、例えば、図３ｂに従ったアプリケーション開始点Ａｐｐ−Ｓ。
【００３８】
そのような柔軟性キーの本質的な利点は、書き込み／読み出しステーションと識別メディアとの間でキーを交換する必要がないという事実である。書き込み／読み出しステーションＷＲ（ＲＦＳ）によって何が識別メディアＩＭ（ＦＳ）から読み出されるか、またキーとして比較又は評価されるかについては、参照ファイルシステムの規則ｒｕ（ＲＦＳ）に従って規定される。
【００３９】
参照ファイルシステムの規則ｒｕ（ＲＦＳ）は、構成及びデータ構造、及びファイルシステム及びアプリケーション、又はアプリケーションを決定する対応キー（スタンプ）へのアクセス権ａｃｉを決定する。
【００４０】
参照ファイルシステムＲＦＳ又は規則ｒｕ（ＲＦＳ）を介してアプリケーションを指定することは、標準識別メディアによる規定と比較して、参照ファイルシステムＲＦＳの仮想アドレスｖＡｄに基づき、書き込み／読み出しステーションＷＲ（ＲＦＳ）における仮想権利マネジメントＲＭを識別メディアから独立させる。権利（キー）の物理アドレスｐＡｄを有するリストではなく、仮想アドレスｖＡｄ又は対応する仮想リストＬｉ（図６）のみが、書き込み／読み出しステーションＷＲ（ＲＦＳ）で処理及び管理されるので、権利マネジメントＲＭの適合化なしにアプリケーションの変更を行ってもよい。即ち、新しい物理アドレスｐＡｄを有する更新リストを読み出し／書き込みステーションＷＲ（ＲＦＳ）へ書き込む必要はない。
【００４１】
更に、参照ファイルシステムの規則ｒｕ（ＲＦＳ）によって、独立ユーザＳＳＣ１及びＳＳＣ２からの相互に影響を及ぼさない独立アプリケーションＡｐｐ１及びＡｐｐ２が、自律的及び相互から独立的に初期化済み標準識別メディアの中へ書き込まれて実行されることが確実になるという事実の中に、非常に本質的な利点が存在する。即ち、独立アプリケーションは自由に指定され、修正され、初期化済み識別メディアＩＭ（ＦＳ）へ書き込まれ、独立ユーザによって協定なしに相互から独立して実行され、参照ファイルシステムの規則ｒｕ（ＲＦＳ）のみによって固定される。これは公知の標準識別メディアでは不可能である。公知の標準識別メディアでは、アドレス許可に関して、異なったユーザの間で調整又は協定が必要である。
【００４２】
ファイルシステムＦＳを書き込むために必要な標準識別メディアは、例えば、初期化書き込み／読み出しステーションＷＲ（ＲＦＳ）−Ｉｎｉの使用の制御に権限を有する最上位階層レベルによって、ユーザＳＳＣｉへ規定されるか、（中央から）排他的に配布されてもよい。しかし、ユーザＳＳＣｉがファイルシステムＦＳを書き込むため標準識別メディアの或るタイプを設定することも可能である。  
【００４３】
図３ｂは、本発明の更に有利な実施形態として、アプリケーションＡｐｐ３のために方法のステップ２２ｃ及び２２ｄを使用するアプリケーション開始点Ａｐｐ−Ｓの導入を示す。参照ファイルシステムＲＦＳ及びその規則ｒｕ（ＲＦＳ）に基づいて、更に少なくとも１つのアプリケーション開始点Ａｐｐ−Ｓ（暗黙的な仮想アドレスとして、又は明白な物理アドレスとして）が、ファイルシステム開始点ＦＳ−Ｓの初期化及び規定によって、又はファイルシステムヘッダＦＳ−Ｈを書き込むことによって定義される。次に、このアプリケーション開始点Ａｐｐ−Ｓに関してアプリケーションを書き込み、そして実行してもよい（及び、更にそれを発見してもよい）。図３ｂの例で示されるように、方法のステップ２０、２１、２２ｃ、２２ｄを使用して、アクセスは、ファイルシステム開始点ＦＳ−Ｓ又はファイルシステムヘッダＦＳ−Ｈの他のロケーションを介して、アプリケーションＡｐｐ３のアプリケーション開始点Ａｐｐ３−Ｓへ導かれる。
【００４４】
ファイルシステムヘッダＦＳ−Ｈ又は選択された書き込み／読み出しステーションＷＲ（ＲＦＳ）の中へアプリケーション開始点Ａｐｐ−Ｓのリストを導入する可能性も存在する（図６に示される）。したがって、アプリケーション開始点及び更にアプリケーションへの直接（より速い）アクセスが可能であり、アプリケーション開始点の計算（例えば、アプリケーションのタイプから）は、もはや実行される必要はない。例えば、もし第１のアプリケーションＡｐｐ１の第１のアプリケーション開始点Ａｐｐ１−Ｓが識別メディアの初期化によって決定されるならば、この開始点は、もはや第１のアプリケーションＡｐｐ１の書き込みのフレームワークでは選択されない。更なるアプリケーションＡｐｐ２及びＡｐｐ３については、それらのアプリケーション開始点Ａｐｐ２−Ｓ及びＡｐｐ３−Ｓがアプリケーションの書き込みによって規定されてもよく、アプリケーション開始点のリストの中へ採用されてもよい（図６を参照）。アプリケーション開始点Ａｐｐ−Ｓに関して書き込まれたアプリケーションは、場合に応じて、多くのアプリケーションが既に書き込まれていることとは無関係に、最初又は直接アクセスすることによって実行時に特権を与えられてもよい。
【００４５】
図４は、部分領域ＢｉのためにアクセスキーＲＫｉ及びアクセス権ＡＣｉを有し、また公知のタイプの標準アプリケーションＡｐｐ（Ｓｔｄ）を有する標準領域Ｓｔｄ−Ａｒ、及び参照ファイルシステムに対応するアプリケーションＡｐｐ（ＲＦＳ）を含むファイルシステム領域ＦＳ−Ａｒを有する識別メディアＩＭ＋ＩＭ（ＦＳ）を示す。そのように組み合わせられた識別メディアＩＭ＋ＩＭ（ＦＳ）は、従来の標準アプリケーションＡｐｐ（Ｓｔｄ）及び本発明に従った新しいアプリケーションＡｐｐ（ＲＦＳ）に適用されてもよい。各々の場合に、対応する書き込み／読み出しステーションＷＲ（Ｓｔｄ）及びＷＲ（ＲＦＳ）で適用される。したがって、本発明に従った新しいアプリケーションＡｐｐ（ＲＦＳ）は、対応する割り当て済み書き込み／読み出しステーション及び識別メディアを使用して、所望に応じてステップ・バイ・ステップ及び任意の時点で、既存の公知の標準アプリケーションＡｐｐ（Ｓｔｄ）を有する通信システム又は設備へ導入されてもよい。例えば、遷移時間の間の１つの同じアプリケーションが、従来の方法及び仕方で標準領域Ｓｔｄ−ＡｒのＡｐｐ（Ｓｔｄ）として識別メディアの中に記憶されてもよく、また参照ファイルシステムＲＦＳに対応する形式でＡｐｐ（ＲＦＳ）としてファイルシステム領域ＦＳ−Ａｒの中に記憶されてもよい。したがって、アプリケーションは、従来の標準書き込み／読み出しステーションＷＲ（Ｓｔｄ）によって実行されてもよく、また参照ファイルシステムの新しい書き込み／読み出しステーションＷＲ（ＲＦＳ）によって実行されてもよい。こうして、従来の標準システムは、新しいＲＦＳシステムによって段階的に置換されてもよい。これは更に図７で示される。更に、そのように組み合わされた識別メディアＩＭ＋ＩＭ（ＦＳ）は、標準領域の初期化によって完全に初期化された識別メディアＩＭ（ＦＳ）の中へ転送されてもよい。
【００４６】
前述したように、独立ユーザの独立アプリケーションの相互独立性は、参照ファイルシステムの対応して構成された規則ｒｕ（ＲＦＳ）によって確実にされてもよい。
【００４７】
このため、例えば図５で示されるように、規則ｒｕ（Ａ）を有する階層許可システムＡが導入されてもよい。参照ファイルシステムＲＦＳ及び許可システムＡに対応する組み合わせ規則ｒｕ（ＲＦＳ，Ａ）は、様々な独立ユーザの異なった独立アプリケーションが各々の場合に独立した仕方で実現されること、及びそれらの独立アプリケーションが相互に影響を及ぼさないことを確実にする。
【００４８】
基本的には、対応するファイルシステムＦＳを有する識別メディアを初期化する参照ファイルシステムＲＦＳ及び階層許可システムＡの概念は、相互に独立である。階層許可システムＡは、異なった編成レベルの紹介と共に、例えば国際公開公報第９７／３４２６５号で開示されている。最上位の編成レベルはシステムオーナーへ割り当てられ、システムオーナーによって、スタンプ（これは編成レベル１、２、３、４に対応するアクセス権ａｃｉを規定する）が所望のアプリケーションに従って識別メディアに導入される。
【００４９】
２つのシステムＲＦＳ及びＡの組み合わせとして、参照ファイルシステムが上位に置かれ、許可システムＡはアプリケーションのフレームワークの中でのみ実現されてもよい。これらはＲＦＳ（Ａ）として書かれる。これは図５で示された例に対応する。この場合、例えば、２つの異なった許可システム、例えば古い許可システム及び新しい許可システムが、ＲＦＳ（Ａ１，Ａ２）のように参照ファイルシステムＲＦＳの下位に置かれてもよい。
【００５０】
逆に、許可システムＡが、Ａ（ＲＦＳ）のように参照ファイルシステムの上に置かれてもよい。その場合、例えばファイルシステムキーＦＳＫ又はファイルシステムヘッダＦＳ−ＨはＡに依存し、例えばファイルシステムキーＦＳＫ又はファイルシステムヘッダＦＳ−Ｈの一部分が、制御条件ｆｌｃ又は初期化情報ｆｌｉとしてシステムオーナー又はユーザＳＳＣの編成レベルへ割り当てられる。こうして、階層システムは、特に、ファイルシステムキーＦＳＫの助けを借りて実現されてもよい。
【００５１】
もちろん、複数の独立ユーザの双方が所望するならば、共通のアプリケーションを実現してもよい。
【００５２】
アプリケーションへ割り当てられた編成レベル１、２、３、４にアクセス権ａｃｉを規定するスタンプを介してアプリケーションにアクセスすることは、図５の例で達成される。
【００５３】
識別メディアのファイルシステム領域ＦＳ又はアプリケーション領域ＦＳ−Ａｐｐ−Ａｒへのアクセスは、ここでは階層許可システムＡ指定及び規則ｒｕ（Ａ）によって決定される。
【００５４】
図６は、物理アドレスｐＡｄ（ＩＭ）が識別メディアＩＭ（ＦＳ）の中で決定及び発見される方法を示す。この方法は、ファイルシステムＦＳ（ＩＭ）に関して識別メディアの中のｖＡｄ（ＦＳ（ＩＭ））から進行し、参照点の物理アドレス、好ましくは開始点ＦＳ−Ｓの物理アドレスｐＡｄ（ＦＳ−Ｓ（ＩＭ））を識別メディアにおける参照アドレスとして使用する。
【００５５】
アドレスのリンキングは、機能ｆ及びｇによって定義される。機能ｆのｖＡｄ（ＦＳ（ＩＭ））＝ｆ（ｖＡｄ（ＲＦＳ），ＦＳ（ＩＭ））は、参照ファイルシステムＲＦＳの仮想アドレスｖＡｄ（ＲＦＳ）を、識別メディアのファイルシステムＦＳ（ＩＭ）にリンクし（これは方法のステップ１０及び１１に対応する）、機能ｇのｐＡｄ（ＩＭ）＝ｇ（ｖＡｄ（ＦＳ（ＩＭ）），ｐＡｄ（ＦＳ−Ｓ（ＩＭ）））は、識別メディアＩＭの中の仮想アドレスｖＡｄ（ＦＳ（ＩＭ））を、機能ｆに従ったファイルシステムへの参照及び開始点ＦＳ−Ｓの物理アドレスｐＡｄ（ＦＳ−Ｓ（ＩＭ））にリンクする（方法のステップ１２、１３、１４に対応する）。
【００５６】
この探索された物理アドレスは、ファイルシステムヘッダＦＳ−Ｈの中のアドレスｐＡｄ（ＩＭ）であるか、アプリケーション領域ＦＳ−Ａｐｐ−Ａｒの中のアドレスｐＡｄ（ＩＭ）−Ａｐｐであってもよい。
【００５７】
機能ｆ及びｇは、好ましくは、ｆ（ＷＲ（ＲＦＳ））及びｇ（ＷＲ（ＲＦＳ））として書き込み／読み出しステーションＷＲ（ＲＦＳ）の中で実現される。ここで、論理インテリジェンス、例えばマイクロプロセッサｕＰは、書き込み／読み出しステーションＷＲの中に存在する。これを補足するため、又は代替として、機能ｆ及びｇは、ｆ（ＷＲ（ＲＦＳ），Ｈ）及びｇ（ＷＲ（ＲＦＳ），Ｈ）、又はｆ（Ｈ（ＲＦＳ））及びｇ（Ｈ（ＲＦＳ））としてホストＨの中で実行されてもよい。後者の場合、オンライン接続がＷＲとＨとの間に存在しなければならない。識別メディアは、通常、アプリケーションのデータメモリとして役立つ。
【００５８】
しかし、更に、識別メディアが適切な計算インテリジェンス（マイクロプロセッサｕＰ）を含むとき、機能ｇ（ＷＲ（ＲＦＳ），ＩＭ（ＦＳ））に従って、識別メディアの中で機能ｇを部分的に実行することができる。
【００５９】
識別メディアにおけるファイルシステムの初期化のフレームワークの中で、機能ｆ及びｇは、ファイルシステムキーＦＳＫ、ファイルシステム開始点ＦＳ−Ｓ、及び／又はファイルシステムヘッダＦＳ−Ｈのために実現される。
【００６０】
アプリケーションの書き込み及び実行時にのみ、機能ｆ及びｇは、アプリケーション領域ＦＳ−Ａｐｐ−Ａｒを含むファイルシステムＦＳの全体を包含する。
【００６１】
アプリケーション（データ構造及び個々のアドレスの意味の）の定義は、参照ファイルシステムの仮想アドレスｖＡｄ（ＲＦＳ）に基づきＡｐｐ（ＲＦＳ）として達成される。識別メディアの物理アドレス又は仮想アドレス、又はファイルシステムＦＳ（ＩＭ−Ｘ）及びＦＳ（ＩＭ−Ｙ）に対するアプリケーションの適合化は、もはや必要ではない。なぜなら、これは、ファイルシステムＦＳ（ＩＭ）を有する識別メディアＩＭの初期化（書き込み）、及び対応する識別メディアへのアプリケーションの書き込みによって、前もって自動的に達成されるからである。
【００６２】
図６は、更に、アプリケーション開始点Ａｐｐ−Ｓのアドレスが、ファイルシステムヘッダＦＳ−Ｈ又は選択された書き込み／読み出しステーションＷＲ（ＲＦＳ）の中、即ち、ここでは、好ましくは仮想アドレスｖＡｄを有するリストＬｉの中に書き込まれてもよいことを示す。そのような定義済みアプリケーション開始点Ａｐｐ−Ｓを使用して、アプリケーションは直接及び迅速な仕方で実行されてもよい。
【００６３】
図７は、識別メディアから独立した定義済み仮想参照ファイルシステムＲＦＳ、初期化済み識別メディアＩＭ（ＦＳ）、割り当て済み書き込み／読み出しステーションＷＲ（ＲＦＳ）、及び参照ファイルシステムＲＦＳ及びその規則ｒｕ（ＲＦＳ）に対応するアプリケーションＡｐｐ（ＲＦＳ）を有する通信システム又は設備を示す。
【００６４】
ここでも、例えば、独立ユーザＳＳＣ１、ＳＳＣ２、ＳＳＣ３による独立アプリケーションＡｐｐ１、Ａｐｐ２、Ａｐｐ３が示され、１つを超える参照ファイルシステム、ここではＲＦＳ１及びＲＦＳ２が存在し、その各々が規則ｒｕ（ＲＦＳ１）及びｒｕ（ＲＦＳ２）、及び割り当て済みキーＦＳＫ１及びＦＳＫ２を有する。これらの参照ファイルシステムは、参照ファイルシステムの異なったバージョンＲＦＳｖ、例えば古いバージョン及び新しいバージョンであってもよい。
【００６５】
ユーザＳＳＣ１及びＳＳＣ２のアプリケーションＡｐｐ１、Ａｐｐ２、ＡｐｐＴは参照ファイルシステムＲＦＳ１に対応し、ユーザＳＳＣ３のアプリケーションＡｐｐ３は参照ファイルシステムＲＦＳ２に対応する。これらの異なったアプリケーションは、アプリケーションを含む対応する割り当て済み識別メディアＩＭ（ＦＳ）を有する割り当て済み書き込み／読み出しステーションＷＲ（ＲＦＳ−Ａｐｐ）を介して実行されてもよい。２つのタイプの初期化済み識別メディアＩＭ−Ｘ（ＦＳ）及びＩＭ−Ｙ（ＦＳ）が示される。これらの識別メディアは、原則として、対応する参照ファイルシステムのアプリケーションの任意の組み合わせを含んでもよい。
【００６６】
識別メディアでファイルシステムＦＳを初期化するとき、追加的に識別メディアを或るタイプへ限定することも可能である。例えば、異なったユーザのタイプ、したがってユーザＳＳＣ１のタイプＴ１及びユーザＳＳＣ２のタイプＴ２が初期化される。即ち、タイプ依存情報が初期化と一緒に規定される。機能タイプは、例えば、カウンティングカードから構成されてもよい。カウンティングカードは、好ましくは、フラグｆｌ、制御条件ｆｌｃ、及び／又は初期化情報ｆｌｉに依存して、即ちＴ（ｆｌ，ｆｌｃ，ｆｌｉ）として、使用手順の回数、操作期間、又は満了日付などを規定する。ここで例として、識別メディアＩＭ−Ｘ−Ｔ（ＦＳ）が示される。この識別メディアは或るタイプ、ここではユーザＳＳＣ１のタイプとして限定され、そのユーザからのみアクセス可能である。
【００６７】
アプリケーションは、所望の識別メディアの中へ書き込まれるか、ホストＨを介する識別メディアによって実行されるか、適切な書き込み／読み出しステーションを介して許可メディアＡＭ又は許可識別メディアＡＩＭによって実行されてもよい。
【００６８】
図７の通信システムは、更に、割り当て済み標準書き込み／読み出しステーションＷＲ（Ｓｔｄ）と共に標準アプリケーションＡｐｐ（Ｓｔｄ）を含んでもよい。ここでは、組み合わせられた識別メディアＩＭ＋ＩＭ（ＦＳ）の例が示される。このメディアは、標準アプリケーションＡｐｐ（Ｓｔｄ）を有する標準領域Ｓｔｄ−Ａｒ及びアプリケーションＡｐｐ（ＲＦＳ）を有するファイルシステム領域ＦＳ−Ａｒを含む。
【００６９】
したがって、異なった企業標準及び多数の異なったアプリケーションのＲＦＳシステムを有する通信システムを実現することができる。
【００７０】
図８は、本発明の有利な更なる発展として、自動探索及び読み出し機能「自動読み出し」ＡＲを示す。これを使用して、参照ファイルシステムＲＦＳのフレームワークの中で、異なったタイプの識別メディアからのデータ（情報）が探索され、読み出され、自由に構成することのできるデータフォーマットジェネレータＤＦＧによって応答の中へ組み立てられる。これは３つのステップで達成される。
１．定義された探索規準Ｑに従って所望の情報又はデータを探索する。
２．データ及び可能なＲＦＳ変換を読み出す。
３．データを所望のフォーマットで組み立て、ホストインタフェースへ出力する。
【００７１】
このため、参照ファイルシステムＲＦＳに従って定義された探索及び読み出し機能の自動読み出しＡＲが定義され、それを使用して、書き込み／読み出しステーションＷＲ（ＲＦＳ）を介して識別メディア（ＩＭ−Ｘ（ＦＳ））及びＩＭ−Ｙ（ＦＳ）から、或る探索されたデータを読み出すための探索規準Ｑに従った探索コマンドＡＲ（Ｑ）がセットアップされ、この探索されたデータＡＲ（ＩＭ（ＦＳ）（データ））が応答として識別メディアから読み出され、書き込み／読み出しステーションの中でデータセットＡＲ（ＲＦＳ）（データ）として処理される。このデータセットは探索コマンドＡＲ（Ｑ）に対応する。
【００７２】
データセットＡＲ（ＲＦＳ）（データ）としてのこの処理は、好ましくは、データフォーマットジェネレータＤＦＧによって達成されてもよい。
【００７３】
データフォーマットジェネレータＤＦＧは、書き込み／読み出しステーションＷＲのマイクロプロセッサｕＰの一部分を形成するか、その中へ一体化されるか、別個のコンポーネントを形成してもよい。
【００７４】
識別メディアからの探索済みデータＡＲ（ＩＭ（ＦＳ（データ））は、製造業者の領域Ｍａｎからのデータを含んでもよく、応答データセットＡＲ（ＲＦＳ）（データ）は、更に、書き込み／読み出しステーションのデータＷＲ（データ）を含んでもよい。探索済みデータＩＭ（ＦＳ）（データ）は、幾つかのアプリケーション（Ａｐｐ１（ＦＳ），Ａｐｐ２（ＦＳ））を包含してもよい。
【００７５】
書き込み／読み出しステーションＷＲのデータ及びパラメータ、例えば自動読み出し機能ＡＲを定義する探索規準Ｑは、情報データベースＩＤＢの中に含まれてもよい。探索規準Ｑは、ＲＦＳのフレームワーク又はアプリケーションＡｐｐ（ＲＦＳ）の中で自由に構成可能である。しかし、それらは書き込み／読み出しステーションＷＲ（ＲＦＳ）の情報データベースＩＤＢの中で事前に構成されて記憶されてもよく、自動読み出し機能ＡＲによって呼び出されてもよい。
【００７６】
識別メディアの中の探索済みデータＡＲ（ＩＭ（ＦＳ）（データ））は、ファイルシステム領域ＦＳ−Ａｒからの異なったアプリケーション（Ａｐｐ１、Ａｐｐ２、Ａｐｐ３）からのデータ（例えば、アクセス権ａｃｉ、フラグｆｌ）、及び製造業者の領域Ｍａｎからのデータ（例えば、ＵＩＤ）を包含してもよい。完全な応答データセットＡＲ（ＲＦＳ）（データ）は、更に、ＷＲからのデータＷＲ（データ）を包含してもよい。
【００７７】
更なる変形として、図８は、ＲＦＳシステムに対応しない追加のプロプラエタリシステムＭを示す。このシステムは、例えば、磁気カードＩＭ−Ｍ、磁気カード読み出し器ＷＲ（Ｍ）、アプリケーションＡｐｐＭ、及びデータＡｐｐＭ（データ）を有するシステム（又は、これと類似したシステム、例えば、Ｗｉｅｇａｎｄデータフォーマットを有するシステム）である。
【００７８】
ＡｐｐＭ（データ）に対応する応答データセットＡＲ（ＲＦＳ）（データ）は、探索及び読み出し機能ＡＲ及びデータフォーマットジェネレータＤＦＧを使用して生成されてもよい。
【００７９】
このため、探索コマンドＡＲ（Ｑ，ＡｐｐＭ）としてのアプリケーションＡｐｐＭは、参照ファイルシステムＲＦＳを有する通信システムの中へ一体化され、アプリケーションＡｐｐＭをホストに再び書き込む必要はない。これによって、そのような従来のプロプラエタリシステム（Ｍ）をＲＦＳ通信システムへ段階的に移行することができる。
【００８０】
自動探索及び読み出し機能の自動読み出しＡＲは、原則として、参照ファイルシステムＲＦＳに従った特別のアプリケーションＡｐｐ（ＲＦＳ）を表す。
【００８１】
本発明の重要な利点は、異なった製造業者から提供され、様々なＩＳＯ標準に従う異なるタイプの標準識別メディアが、全て、同じ一般的な参照ファイルシステムに従って定義されるアプリケーションのために共通に使用され、ユーザに利用可能となることである。したがって、同じアプリケーションが、異なった識別メディアの上で実行され、これらのメディアへの適合化は要求されない。今までは、そのような適合化が必要であった。
【００８２】
更に、ユーザは、これらのアプリケーションを相互から完全に独立して定義し、書き込み、実行できるようになる。これは、顕著な単純化及びアプリケーションの可能性の拡張を可能にする。
【００８３】
説明の中で使用された参照記号は次の通りである。
１〜８、１０〜１４、２０〜２２      方法のステップ
ＩＭ      識別メディア
ＩＭ−Ｘ、ＩＭ−Ｙ      様々なタイプＸ、Ｙの標準ＩＭ
ＩＭ（ＦＳ）      ＦＳを有するＩＭ
ＲＫｉ      アクセスキー
ＲＫ−Ａｒ      アクセス領域
ＡＣｉ      アクセス権
Ｂｉ      部分領域、ブロック
Ｍａｎ      製造業者の領域
Ａｐｐ−Ａｒ      アプリケーション領域
ＦＳ−Ａｒ      ファイルシステム領域
Ｓｔｄ−Ａｒ      標準領域
ＲＦＳ、ＲＦＳ１、ＲＦＳ２      仮想参照ファイルシステム
ＲＦＳｖ      ＲＦＳのバージョン
ＦＳ      ＲＦＳに従ったファイルシステム
ＦＳｖ      ファイルシステムのバージョン
ＦＳＫ      ファイルシステムのキー（アクセスキー）
ＦＳ（ＩＭ）    識別メディアの中のファイルシステム
ＦＳ（ＩＭ−Ｘ）、ＦＳ（ＩＭ−Ｙ）      ＩＭ−Ｘ及びＩＭ−Ｙに従ったファイルシステム
ＦＳ−Ｓ      ファイルシステム開始点
ＦＳ−Ｓ（ＩＭ−Ｘ）、ＦＳ−Ｓ（ＩＭ−Ｙ）      対応するＩＭの中のファイルシステム開始点
ＦＳ−Ｈ      ファイルシステムヘッダ
ＦＳ−Ａｐｐ−Ａｒ      ＦＳアプリケーション領域
Ｓｔｄ−Ａｐｐ−Ａｒ      標準アプリケーション領域
ＷＲ      書き込み／読み出しステーション
ＷＲ（ＲＦＳ）      ＲＦＳに対応するＷＲ
Ｉｎｉ、ＷＡｐｐ、ＲＡｐｐ      ＷＲの機能
ＲＭ      権利マネジメント
Ａｐｐ      アプリケーション
Ａｐｐ（Ｓｔｄ）      標準アプリケーション
Ａｐｐ（ＲＦＳ）      ＲＦＳに従ったアプリケーション
Ａｐｐ−Ｓ      アプリケーション開始点
Ｔ、Ｔ１、Ｔ２、Ｔｉ      ＩＭ（ＦＳ）のタイプ
Ｈ      バックグラウンドシステム、ホスト
Ａ      許可システム
ｒｕ      ＲＦＳ又はＡの規則
ａｃｉ      ＲＦＳ又はＡのアクセス権
ｆｌ      フラグ、インディケータ
ｆｌｃ      制御条件
ｆｌｉ      初期化情報
ｃｒｙｐ      暗号化
ＳＳＣ      独立ユーザ
ＩＭＩ      ＩＭ及びＦＳに関する情報
ＵＩＤ      一意の識別番号
ｖＡｄ      仮想アドレス
ｐＡｄ      物理アドレス
Ｌｉ      アドレスを有するリスト
ｆ、ｇ      ＷＲ、Ｈの中の機能
ＡＭ      許可手段、コード
ＡＩＭ      許可、識別メディア
ＡＲ      探索及び読み出し機能（自動読み出し）
ＡＲ（Ｑ）      探索コマンド
Ｑ      探索規準
ＤＦＧ      データフォーマットジェネレータ
ＡＲ（ＩＭ（ＦＳ）（データ））      ＩＭから探索されたデータ
ＷＲ（データ）      ＷＲのデータ
ＡＲ（ＲＦＳ）（データ）      応答データセット
ＩＤＢ      ＷＲの中の情報データベース
ｕＰ      ＷＲの中のマイクロプロセッサ
ＩＭ−Ｍ、ＷＲ（Ｍ）      識別メディア、読み出しステーション
ＡｐｐＭ、ＡｐｐＭ（データ）      ＲＦＳを有しないシステムのアプリケーション及びデータ
【図面の簡単な説明】
【００８４】
【図１】参照ファイルシステムＲＦＳに従ってファイルシステムＦＳを識別メディアＩＭへ書き込む本発明の方法を示す図である。
【図２ａ】ファイルシステムＦＳを初期化する機能を示す図である。
【図２ｂ】割り当てられた書き込み／読み出しステーションＷＲ（ＲＦＳ）によってアプリケーションＡｐｐを書き込む機能を示す図である。
【図２ｃ】割り当てられた書き込み／読み出しステーションＷＲ（ＲＦＳ）によってアプリケーションＡｐｐを実行する機能を示す図である。
【図３ａ】アプリケーション領域を有する最新技術の標準識別メディアＩＭを示す図である。
【図３ｂ】ファイルシステムＦＳ及びファイルシステムキーＦＳＫを有する本発明の識別メディアＩＭ（ＦＳ）を示す図である。
【図４】標準領域Ｓｔｄ−Ａｒ及びファイルシステム領域ＦＳ−Ａｒを有する識別メディアを示す図である。
【図５】許可システムＡを有する識別メディアＩＭ（ＦＳ）を示す図である。
【図６】参照ファイルシステムＲＦＳ及びファイルシステムＦＳに関して仮想アドレスｖＡｄから識別メディアＩＭ（ＦＳ）の中の物理アドレスｐＡｄを決定する図である。
【図７】割り当てられたアプリケーションＡｐｐ（ＲＦＳ）、書き込み／読み出しステーションＷＲ（ＲＦＳ）、及び識別メディアＩＭ（ＦＳ）と一緒に、参照ファイルシステムＲＦＳ及びホストＨを有する設備（又は、通信システム）を対応して示す図である。
【図８】探索及び読み出し機能である「自動読み出し」ＡＲを示す図である。
【図１】
2007531926.tif 000003
【図２ａ】
2007531926.tif 000004
【図２ｂ】
2007531926.tif 000005
【図２ｃ】
2007531926.tif 000006
【図３ａ】
2007531926.tif 000007
【図３ｂ】
2007531926.tif 000008
【図４】
2007531926.tif 000009
【図５】
2007531926.tif 000010
【図６】
2007531926.tif 000011
【図７】
2007531926.tif 000012
【図８】
2007531926.tif 000013
【国際調査報告】
2007531926.tif 000014
2007531926.tif 000015
2007531926.tif 000016
2007531926.tif 000017
2007531926.tif 000018
2007531926.tif 000019
2007531926.tif 000020
2007531926.tif 000021